(57)【特許請求の範囲】
【請求項１】
机の天板の縁部に立設され、執務者の視界を遮るようになっているデスクトップパネルにおいて、内側面に板材保持用の凹溝を形成した上下及び左右の枠杆により、採光部を形成する半透明の板材の四辺を囲んで、方形の枠を形成して、枠内全体を採光部とし、かつ左右の枠杆の前面に、前方を向く上下１対の係止フックを備えたアングル状の係止板を取り付け、前記係止フックを、天板の後部に立設した支柱の後面に設けた係止孔に係止したことを特徴とするデスクトップパネル。
【請求項２】
左右の枠杆の外側面に、外向きコ字状の芯材を取り付け、この芯材の外側面に、カバー部材を嵌合させた請求項１記載のデスクトップパネル。
【請求項３】
採光部を、粒度を小としたすりガラスであるフロストガラスにより形成した請求項１または２記載のデスクトップパネル。
【請求項４】
採光部を、印加する電圧を変えることにより、透明度を調節しうるようにした、液晶板よりなる調光板とした請求項１または２記載のデスクトップパネル。
【発明の詳細な説明】
【０００１】
【発明の属する技術分野】
本発明は、机の天板の後縁または側縁に立設され、執務者の視界を遮るようにしたデスクトップパネルに関する。
【０００２】
【従来の技術】
机を使用する執務者の前方の視界を遮ることにより、執務者が執務に集中できる環境を形成するとともに、執務者のプライバシーを保護するため、従来、例えば図８に示すように、机(１)の天板(２)の後端部の左右両側部に立設した支柱(３)に、クロス張りのボードやピンナップボード等のデスクトップパネル(４)を取り付けることが行われている。
また、このデスクトップパネル(４)の上方に、棚やキャビネット等を配設して、机上の空間の有効利用を図ることも行われている。
【０００３】
【発明が解決しようとする課題】
しかし、前者によれば、室内照明が妨げられ、机上面が暗くなる場合が多く、また、後者によると、天井面からの採光が完全に妨げられ、机上に卓上ライト等を設置することが不可欠となる。
【０００４】
本発明は、上述の問題点に鑑み、机上面の採光性を落とすことなく、執務者のプライバシーを保護しうるとともに、執務に集中できる環境を確保できるようにしたデスクトップパネルを提供することを目的としている。
【０００５】
【課題を解決するための手段】
本発明によると、上記課題は、次のようにして解決される。
（１）  机の天板の縁部に立設され、執務者の視界を遮るようになっているデスクトップパネルにおいて、内側面に板材保持用の凹溝を形成した上下及び左右の枠杆により、採光部を形成する半透明の板材の四辺を囲んで、方形の枠を形成して、枠内全体を採光部とし、かつ左右の枠杆の前面に、前方を向く上下１対の係止フックを備えたアングル状の係止板を取り付け、前記係止フックを、天板の後部に立設した支柱の後面に設けた係止孔に係止させる。
【０００６】
（２）  上記(１)項において、左右の枠杆の外側面に、外向きコ字状の芯材を取り付け、この芯材の外側面に、カバー部材を嵌合させる。
【０００７】
（３） 上記(１)または(２)項において、採光部を、粒度を小としたすりガラスであるフロストガラスにより形成する。
【０００８】
（４）  上記(１)または(２)項において、採光部を、印加する電圧を変えることにより、透明度を調節しうるようにした、液晶板よりなる調光板とする。
【０００９】
【発明の実施の形態】
図１は、本発明のデスクトップパネルの一実施形態の主要部分を示す正面図で、左部は分解状態で、かつ右部は組み立てた状態で示し、中間部は省略してある。
【００１０】
このデスクトップパネル(４)では、粒度を小としたすりガラスであるフロストガラスからなる半透明の板材(５)の四辺を、上下の枠杆(６)、左右の枠杆(７)およびコーナー材(８)により囲ってある。
【００１１】
板材(５)は、フロストガラスの他に、例えば、粒度の大きい普通のすりガラス、型板ガラス、乳白表面もしくは着色したアクリル板、色付きガラス、偏光ガラス等とすることができる。
【００１２】
さらに板材(５)を、印加する電圧を変えることにより、透明度、または遮光度を調節しうるようにした液晶板からなる調光板とすることもできる。
【００１３】
上下の枠杆(６)は、合成樹脂材料を押し出し成形したもので、図２の縦断側面図に示すように、内側面に凹溝(９)が形成されている。凹溝(９)は、板材(５)の縁部を嵌合保持しうる寸法のものとされている。
【００１４】
左右枠杆(７)も、合成樹脂材料を押して出し成形してなり、図３の横断平面図に示すように、内側面に凹溝(９)が形成されている。
【００１５】
コーナー材(８)は、合成樹脂材料を成形してなり、内角部に凹溝(９)に対応する凹溝(図示略)を有し、かつ左右の枠杆(７)及び上下の枠杆(６)の各端部に嵌合される突出片(10)を有している。
また、その平面図である図４に示すように、上面には、左右の枠杆(７)への取付用の孔(11)が穿設されており、中央の突出片(10)にも、上下の枠杆(６)への取付用のねじ孔(12)が穿設されている。
なお、コーナー材(８)を省略し、左右の枠杆(７)と上下の枠杆(６)との各端部を４５度の角度をもって切断して、互いに突き合わせて接合するようにしてもよい。
【００１６】
図１における符号(13)は、左右の枠杆(７)の外側面に取り付けられた外向きコ字状の芯材である。
【００１７】
組立に当たっては、上下の枠杆(６)の両端にコーナー材(８)を差し込み、ボルト(14)を上下の枠杆(６)側からコーナー材(８)の突出片(10)のねじ孔(12)にねじ込んで結合する。ついで、板材(５)の左右の縁部に、左右の枠杆(７)の凹溝(９)を嵌合させ、板材(５)の上下の縁部に、上述のようにしてコーナー材(８)を取り付けた上下の枠杆(６)の凹溝(９)を嵌め込む。
【００１８】
このようにすると、コーナー材(８)の上下方向に延びる突出片(10)は、左右の枠杆(７)の端部に嵌入される。この状態において、ねじ(15)を締め付けることにより、コーナー材(８)は、左右の枠杆(７)に固定される。
【００１９】
ついで、芯材(13)を、ねじ(16)により、左右の枠杆(７)の外側面に取り付ける。芯材(13)は、図５に示すカバー部材(17)を取り付けるためのものである。
図１の右側に組み立てられた状態が示されている。
【００２０】
デスクトップパネルの左右の枠杆(７)の前面には、上下１対の小孔(18)が穿設されている。これらの小孔(18)を利用して、図６に示すアングル状の係止板(19)が取り付けられている。係止板(19)は、前方を向く上下１対の係止フック(20)と、上述の小孔(18)に対応する孔(21)とを備えている。
係止板(19)は、その孔(21)に挿通したねじ(22)を小孔(18)にねじ込むことにより、左右の枠杆(７)に固定される。図６は、このようにして係止板(19)を取り付けたパネルを示している。
【００２１】
図７に示すように、係止板(19)が取り付けられたデスクトップパネル(４)は、係止フック(20)を、支柱(３)の後面に穿設されたスリット状の係止孔(23)に係止することにより、机(１)上に取り付けられる。
【００２２】
本発明は、机の天板の側縁に立設されるデスクトップサイドパネルにも適用することができる。
【００２３】
【発明の効果】
請求項１記載の発明によると、半透明の板材からなる採光部により、机上面の採光が確保できるだけでなく、外部からは執務者や机上面が正確には視認できなくなるので、執務者のプライバシーが守られ、かつ執務に集中できる環境を形成することができる。
また、簡単な構造により、板材を強固かつ確実に支持することができる。
さらに、机への取り付けを簡単確実に、しかも取り外しを容易に行うことができる。
【００２４】
請求項２記載の発明によると、パネルの側端部を美麗に仕上げることができる。
【００２５】
請求項３記載の発明によると、採光部をフロストガラスにより形成したので、普通のすりガラスより採光性がよく、執務者に好印象を与えることができる。
【００２６】
請求項４記載の発明によると、液晶板に印加する電圧を変化させることにより、透明度を自由に調節することができるので、執務中は採光部の透明度を低くして、執務に専念し、休憩時や、外部の状況を知りたいときには、採光部の透明度を高くして、外部を見通すことができ、便利である。
【図面の簡単な説明】
【図１】  本発明のデスクトップパネルの一実施形態の主要部を示す正面図で、左部は分解状態で、右部は組み立てられた状態で、かつ中間部を省略して示す。
【図２】  同じく、上下の枠杆の縦断側面図である。
【図３】  同じく、左右の枠杆の横断平面図である。
【図４】  同じく、コーナー材の平面図である。
【図５】  同じく、右側部の分解斜視図である。
【図６】  同じく、中間部分を省略して示す完成状態の正面図である。
【図７】  同じく、デスクトップパネルを机に取り付ける状態を示す斜視図である。
【図８】  従来のデスクトップパネルを取り付けた机の斜視図である。
【符号の説明】
(１)机
(２)天板
(３)支柱
(４)デスクトップパネル
(５)板材
(６)上下の枠杆
(７)左右の枠杆
(８)コーナー材
(９)凹溝
(10)突出片
(11)孔
(12)ねじ孔
(13)芯材
(14)ボルト
(15)(16)ねじ
(17)カバー部材
(18)小孔
(19)係止板
(20)係止フック
(21)孔
(22)ねじ
(23)係止孔
【図１】
0004409691.tif 000002
【図２】
0004409691.tif 000003
【図３】
0004409691.tif 000004
【図４】
0004409691.tif 000005
【図５】
0004409691.tif 000006
【図６】
0004409691.tif 000007
【図７】
0004409691.tif 000008
【図８】
0004409691.tif 000009